(57)【特許請求の範囲】
【請求項１】
畦畔造成部の土壌を耕起して順次掬い上げながら進行して所定の幅の基礎凹部を形成する工程と、この基礎凹部の底部に沿って位置決め溝を順次形成する工程と、この基礎凹部内に前記位置決め溝内に係合する係合突起を突設した設置板及びこの設置板から耕土の上方に向かって突出する支持板を有する畦畔基礎体を設置する工程と、前記基礎凹部内に前記掬い上げた土壌を埋め戻して前記畦畔基礎体を埋設する工程と、この畦畔基礎体の支持板上に前記埋め戻し土壌を介して畦畔体を被嵌して設置する工程と、を有する
ことを特徴とする畦畔造成工法。
【請求項２】
畦畔造成部を耕起する回転自在のロータリー作業体と、このロータリー作業体の後方に位置して設けられロータリー作業体にて耕起された土壌を掬い上げて畦畔の基礎凹部を形成する土壌掬上体と、この土壌掬上体に連設されこの土壌掬上体からの土壌を後方に向かって搬送するとともにこの土壌を進行方向の側方に向かって搬出するコンベヤと、このコンベヤの後方に位置して設けられ前記基礎凹部に畦畔基礎体を固定する位置決め溝を形成する溝付体と、を有する
ことを特徴とする畦畔基盤造成装置。
【請求項３】
コンベヤは、土壌を後上方に向かって搬送する後方送りコンベヤと、この後方送りコンベヤからの土壌を進行方向の側方に向かって搬出する横送りコンベヤとからなる
ことを特徴とする請求項２記載の畦畔基盤造成装置。
【請求項４】
溝付体は、回転自在に軸架された溝付輪からなる
ことを特徴とする請求項２記載の畦畔基盤造成装置。
【発明の詳細な説明】
【０００１】
【発明の属する技術分野】
本発明は畦畔造成部に畦畔を造成する畦畔造成工法及びこの畦畔基盤を整備する畦畔基盤造成装置に関するものである。
【０００２】
【従来の技術】
近年、農業労働者の不足及び農業従事者の高齢化から稲作においての基本である水田の水管理を十分にできない状況にある。この水管理で重要なことは畦畔の水漏れ防止であるが、その畦畔に繁茂する雑草の草刈り作業も重要なものとなっている。このため、従来では、稲の収穫後や田植前に水漏れ防止対策と雑草の処理対策として旧畦畔に泥土を塗り付けて旧畦畔を修復する畦塗り作業が行われているが、この畦塗り作業には多くの労力を必要とし前記農業従事者の現状では畦塗り作業を毎年行なうことは容易なことではない。
【０００３】
【発明が解決しようとする課題】
そこで、近時では、畦畔造成資材を設置して畦畔とし、この畦畔造成資材からなる畦畔にて水漏れ防止対策と雑草の処理対策とし、農業従事者が毎年行なう畦塗り作業の労力の軽減を図ることが考えられる。しかし、畦畔造成資材を畦畔として用いるには、この畦畔造成資材の設置に多くの労力を必要とし、すなわち、圃場の畦畔造成部を前記畦畔造成資材を設置するのに必要な幅と深さに泥土を掘り起して畦畔基盤を整備する労力を必要とし、これには農業従事者の現状では容易なことではない。
【０００４】
本発明は、このような点に鑑みてなされたもので、畦畔造成資材を安定的に設置できる畦畔造成工法及び畦畔造成資材を設置する上で畦畔基盤を整備する畦畔基盤造成装置を提供することを目的とするものである。
【０００５】
【課題を解決するための手段】
請求項１記載の畦畔造成工法は、畦畔造成部の土壌を耕起して順次掬い上げながら進行して所定の幅の基礎凹部を形成する工程と、この基礎凹部の底部に沿って位置決め溝を順次形成する工程と、この基礎凹部内に前記位置決め溝内に係合する係合突起を突設した設置板及びこの設置板から耕土の上方に向かって突出する支持板を有する畦畔基礎体を設置する工程と、前記基礎凹部内に前記掬い上げた土壌を埋め戻して前記畦畔基礎体を埋設する工程と、この畦畔基礎体の支持板上に前記埋め戻し土壌を介して畦畔体を被嵌して設置する工程と、を有するものである。
【０００６】
そして、基礎凹部を形成する工程と、位置決め溝を形成する工程と、畦畔基礎体を設置する工程と、畦畔基礎体を埋設する工程と、畦畔体を被嵌して設置する工程からなる一連の工程によって畦畔造成資材を用いた畦畔が造成される。そうして、この造成された畦畔にて水漏れが防止されるとともに、この畦畔には雑草が繁茂することが防止される。
【０００７】
請求項２記載の畦畔基盤造成装置は、畦畔造成部を耕起する回転自在のロータリー作業体と、このロータリー作業体の後方に位置して設けられロータリー作業体にて耕起された土壌を掬い上げて畦畔の基礎凹部を形成する土壌掬上体と、この土壌掬上体に連設されこの土壌掬上体からの土壌を後方に向かって搬送するとともにこの土壌を進行方向の側方に向かって搬出するコンベヤと、このコンベヤの後方に位置して設けられ前記基礎凹部に畦畔基礎体を固定する位置決め溝を形成する溝付体と、を有するものである。
【０００８】
そして、ロータリー作業体にて畦畔造成部を耕起し、このロータリー作業体にて耕起された土壌を土壌掬上体にて掬い上げて畦畔の基礎凹部を形成し、土壌掬上体からの土壌はコンベヤにて後方に向かって搬送されるとともに、進行方向の側方に向かって搬出される一方、前記土壌掬上体にて形成された前記基礎凹部には溝付体にて畦畔基礎体を固定する位置決め溝が形成される。
【０００９】
請求項３記載の畦畔基盤造成装置は、請求項２記載の畦畔基盤造成装置において、コンベヤは、土壌を後上方に向かって搬送する後方送りコンベヤと、この後方送りコンベヤからの土壌を進行方向の側方に向かって搬出する横送りコンベヤとからなるものである。
【００１０】
そして、後方送りコンベヤにて土壌掬上体からの土壌が後方に向かって搬送され、この後方送りコンベヤから搬出された土壌は横送りコンベヤにて搬送されるとともに、進行方向の側方に向かって搬出される。
【００１１】
請求項４記載の畦畔基盤造成装置は、請求項２記載の畦畔基盤造成装置において、溝付体は、回転自在に軸架された溝付輪からなるものである。そして、この溝付輪の回転作用によって基礎凹部には畦畔基礎体を固定する位置決め溝が連続して形成される。
【００１２】
【発明の実施の形態】
以下、本発明の一実施の形態を図面を参照して説明する。
【００１３】
１は畦畔基盤造成装置で、この畦畔基盤造成装置１は機枠２と、この機枠２に回転自在に設けられ畦畔造成部Ａを耕起するロータリー作業体３と、このロータリー作業体３の後方に位置して設けられこのロータリー作業体３にて耕起された土壌を掬い上げて畦畔の基礎凹部Ｂを形成する土壌掬上体４と、この土壌掬上体４に連設されこの土壌掬上体４からの土壌を搬送するコンベヤ５と、このコンベヤ５の後方に位置して設けられ前記基礎凹部Ｂに位置決め溝Ｃを形成する溝付体６と、を有している。前記畦畔造成部Ａは耕土の所定の位置に畦畔を造成する部位及び旧畦畔を崩して畦畔を造成する部位をいう。
【００１４】
つぎに、前記機枠２は、左右方向の中空パイプ状の主枠７を有し、この主枠７の中間部には入力軸８を前方に向けて回転自在に突出したミッション装置９が設けられ、このミッション装置９の両側部に位置して前記主枠７の両側部には先端部にロワピン１０を有するロワアーム１１が相対してそれぞれ前下方に向かって一体に突設されている。
【００１５】
また、前記ミッション装置９の上部には先端部に連結部１２を有するトップアーム１３が前上方に向かって一体に突設され、このトップアーム１３は前記両側部のロワアーム１１に相対する支持片１４を介して支持されている。
【００１６】
また、前記主枠７の両端部には相対して配設された上下方向の伝動ケース１５及びブラケット１６がそれぞれ固定され、この伝動ケース１５とブラケット１６との下端部間には前記ロータリー作業体３が回転自在に軸架されている。
【００１７】
また、前記伝動ケース１５の上端部内に前記主枠７内を挿通して回転自在に支持された前記ミッション装置９の出力軸１７の一端部が突出され、この出力軸１７の突出端部には前記伝動ケース１５内に設けた連動媒体１８を介して前記ロータリー作業体３が回転自在に連動連結されている。
【００１８】
つぎに、前記ロータリー作業体３は、前記伝動ケース１５とブラケット１６との下端部間に回転自在に軸架された回転軸１９を有し、この回転軸１９には軸方向に所定の間隔をおいて多数のフランジ２０がそれぞれ一体に固着され、この各フランジ２０には土壌を耕起する複数の耕耘爪２１がそれぞれ放射状に突出されている。
【００１９】
そして、このロータリー作業体３は前記ミッション装置９の出力軸１７からの出力により前記伝動ケース１５内の前記連動媒体１８を介してダウンカット方向に向かって回転駆動されるようになっている。また、前記伝動ケース１５とブラケット１６との上部間には前記ロータリー作業体３の上方を被覆して土壌の飛散を防止するカバー体２２が固定されている。
【００２０】
つぎに、前記コンベヤ５は、土壌を後上方に向かって搬送する後方送りコンベヤ２３と、この後方送りコンベヤ２３の搬出端部に連設されこの後方送りコンベヤ２３からの土壌を進行方向の側方に向かって搬出する横送りコンベヤ２４とからなっている。
【００２１】
前記後方送りコンベヤ２３及び横送りコンベヤ２４は、前記ロータリー作業体３の後方に位置して相対して両側部に配設されたコンベヤフレーム２５に設けられている。この両側部のコンベヤフレーム２５は、板状にそれぞれ形成され前記主枠７の両側部から後方に向かって一体に突設された両側部の連結アーム２６にてそれぞれ連結されて支持されている。
【００２２】
前記後方送りコンベヤ２３は、前記両側部のコンベヤフレーム２５の前後方向の略中間部間に回転自在に軸架された駆動ローラ２７を有する駆動軸２８と、この駆動軸２８の前下方に位置して前記両側部のコンベヤフレーム２５の下端部間に回転自在に軸架された従動ローラ２９を有する回転軸３０と、この回転軸３０の従動ローラ２９と前記駆動軸２８の駆動ローラ２７との間に後上がりに傾斜して回行自在に懸架された土壌搬送用の無端ベルトからなる無端回行体３１とを有している。
【００２３】
また、前記駆動軸２８の一端部にはスプロケット３２が固着され、前記伝動ケース１５から突出された出力軸１７の突出端部にスプロケット３３が固着され、この相対するスプロケット３２，３３間には無端チェーン３４が回行自在に懸架されている。そして、後方送りコンベヤ２３の無端回行体３１は、前記出力軸１７からの出力によって前記無端チェーン３４を介して後上方に向かって回行されるようになっている。
【００２４】
前記横送りコンベヤ２４は、前記後方送りコンベヤ２３の搬出端部の後方下部に位置して前記両側部のコンベヤフレーム２５に支持された相対する左右方向の前後の側板３５と、この前後の側板３５の一端部間に回転自在に軸架された前後方向の駆動ローラ３６を有する駆動軸３７と、前記前後の側板３５の前記一方側のコンベヤフレーム２５から外方に向かって突出された他端部間に回転自在に軸架された前後方向の従動ローラ３８を有する回転軸３９と、前記左右に相対して配設された前記駆動ローラ３６と従動ローラ３８との間に回行自在に懸架された土壌搬送用の無端ベルトからなる無端回行体４０とを有している。
【００２５】
また、前記駆動軸３７の一端部には連動媒体４１を介して前記駆動軸２８の他端部が回転自在に連動連結されている。そして、前記横送りコンベヤ２４の無端回行体４０は、前記後方送りコンベヤ２３の駆動軸２８からの出力によって連動媒体４１を介して進行方向の側方に向かって回行されるようになっている。
【００２６】
つぎに、前記土壌掬上体４は、前記後方送りコンベヤ２３の従動ローラ２９の前方に位置して前記両側部のコンベヤフレーム２５間に前下方に向かって傾斜して一体に突設されている。この土壌掬上体４は土壌を掬い上げる先端部を略山形状に形成した先金板４２にて形成されている。
【００２７】
そして、この先金板４２にて前記ロータリー作業体３により耕起された土壌を掬い上げて前記後方送りコンベヤ２３の搬入部に搬入するとともに、この土壌を掬い上げた後に畦畔の基礎凹部Ｂを形成するようになっている。この先金板４２は土壌を掬い上げて所定の深さの底部ｂを有する畦畔の基礎凹部Ｂを形成するものである。
【００２８】
つぎに、前記後方送りコンベヤ２３の従動ローラ２９の後方上部に位置して前記両側部のコンベヤフレーム２５の内側部に左右方向の取付アーム４３がそれぞれ対向して近接方向に向かって一体に突設され、この両側部の取付アーム４３の内端部に支持アーム４４がそれぞれ後下方に向かって傾斜して一体に突設され、この両側部の支持アーム４４の後端部に支軸４５にて前記溝付体６がそれぞれ回転自在に軸架されている。
【００２９】
前記両側部の溝付体６は前記支軸４５にて回転自在に軸架された溝付輪４６からなっている。この両側部の溝付輪４６は外周部がそれぞれ断面略Ｖ字形状に形成されている。そして、前記両側部の溝付輪４６にて前記畦畔の基礎凹部Ｂの底部ｂに所定の間隔をおいて断面略Ｖ字形状の２条の位置決め溝Ｃを形成するようになっている。
【００３０】
さらに、前記両側部の溝付輪４６の上方に位置して前記両側部のコンベヤフレーム２５は左右方向の支持杆４７にて支持され、この支持杆４７の中間部には吊持アーム４８が後下方に向かって傾斜して一体に突設され、この吊持アーム４８の下端部間には前記両側部のコンベヤフレーム２５を支持して前記畦畔の基礎凹部Ｂを走行するゲージ輪４９が回転自在に軸架されている。
【００３１】
つぎに、５０は前記畦畔の基礎凹部Ｂ内に設置する所定の長さの畦畔基礎体で、この畦畔基礎体５０は、前記基礎凹部Ｂの底部ｂに設置する設置板５１と、この設置板５１の下面に突設され前記両側部の溝付輪４６にて形成される２条の位置決め溝Ｃに係合する断面略Ｖ字形状の２条の係合突起５２と、前記設置板５１から上方に向かって垂直状に突出された支持板５３とを有して略逆Ｔ字形状に形成されている。
【００３２】
また、前記支持板５３の長さ方向の一端縁部には上下方向の係合突片５４が一体に突設され、この支持板５３の長さ方向の他端縁部には他の支持板５３の長さ方向の一端縁部に形成された前記係合突片５４を係合する上下方向の係合凹部５５が形成されている。
【００３３】
そして、前記畦畔基礎体５０は必要な個数を基礎凹部Ｂ内に設置する際には支持板５３の両端部の対向する係合突片５４と係合凹部５５とを係合して連設するようになっている。しかして、前記畦畔基礎体５０は紫外線に強い耐候性、耐水性及び肥料や農薬に強い耐薬品性を有する合成樹脂等にて一体に形成されている。
【００３４】
つぎに、５６は前記畦畔基礎体５０の上方部に前記支持板５３及び埋め戻し土壌を介して被嵌して設置する所定の長さの畦畔体で、この畦畔体５６は略水平状に形成された畦上板５７と、この畦上板５７の幅方向の両端部から下方に向かって拡開傾斜して形成された両側の畦側板５８とを有して断面略台形状に形成されている。
【００３５】
そして、前記畦畔体５６は必要な個数を前記畦畔基礎体５０上に設置する際には対向する端面部を互いに接合して一連に連設するようになっている。しかして、前記畦畔体５６は紫外線に強い耐候性、耐水性及び肥料や農薬に強い耐薬品性を有する合成樹脂等にて一体に形成されている。なお、前記畦上板５７の上面部には滑り止め用のローレットや凹凸模様等の形状が形成されている。
【００３６】
つぎに、前記実施の形態の作用を説明する。
【００３７】
トラクタの三点連結部に畦畔基盤造成装置１の機枠２に設けられた三点連結部（左右のロワピン１０及び連結部１２）を連結し、トラクタのＰＴＯ軸に動力伝達軸を介してミッション装置９の入力軸８を連結する。
【００３８】
また、トラクタにて圃場の畦畔造成部Ａに沿って畦畔基盤造成装置１が牽引進行されるとともに、トラクタのＰＴＯ軸にて動力伝達軸を介してミッション装置９の入力軸８が回転されると、このミッション装置９の出力軸１７からの出力によって連動媒体１８を介してロータリー作業体３がダウンカット方向に回転駆動される一方、出力軸１７からの出力によって連動媒体４１を介して後方送りコンベヤ２３の無端回行体３１が後上方に向かって回行され、かつ、後方送りコンベヤ２３の駆動軸２８にて連動媒体４１を介して横送りコンベヤ２４の無端回行体４０が畦畔基盤造成装置１の進行方向の側方に向かって回行される。
【００３９】
そして、ロータリー作業体３の各耕耘爪２１にて畦畔造成部Ａの土壌が所定の深さまで順次耕起されるとともに後方に向かって跳ね上げられ、土壌掬上体４の先金板４２にて耕起された土壌が順次掬い上げられて後方送りコンベヤ２３の無端回行体３１上に搬入される一方、この先金板４２にて所定の幅と所定の深さの底部ｂを有する畦畔の基礎凹部Ｂが順次形成される。
【００４０】
また、畦畔基盤造成装置１が牽引進行されることにより、両側部の溝付体６すなわち両側部の溝付輪４６が基礎凹部Ｂの底部ｂに沿って自転され、この両側部の溝付輪４６にて基礎凹部Ｂの底部ｂには所定の間隔をおいて進行方向に断面略Ｖ字形状の２条の位置決め溝Ｃがそれぞれ順次形成される。
【００４１】
また、土壌掬上体４の先金板４２から後方送りコンベヤ２３の無端回行体３１上に搬入された土壌はこの無端回行体３１にて後上方に向かって搬送され、この無端回行体３１の搬出端部から横送りコンベヤ２４の無端回行体４０上に搬入される。そして、この土壌は無端回行体４０にて搬送されるとともに、その搬出端部から前記基礎凹部Ｂの側方の耕土Ｄ上に向かって埋め戻し土壌Ｅとして順次搬出される。
【００４２】
つぎに、前記基礎凹部Ｂ内にこの基礎凹部Ｂの長さに沿って必要個数の畦畔基礎体５０をそれぞれ順次配置し、この各畦畔基礎体５０の設置板５１を基礎凹部Ｂの底部ｂに設置しかつこの設置板５１の裏面の２条の係合突起５２を基礎凹部Ｂの底部ｂに形成された２条の位置決め溝Ｃにそれぞれ係合する。
【００４３】
また、各畦畔基礎体５０の支持板５３を、隣接して対向する各係合凹部５５に各係合突片５４をそれぞれ係合して連結することにより、各畦畔基礎体５０にて基礎凹部Ｂの長さに沿って連続した一連の基礎体が構成され、かつ、各畦畔基礎体５０の支持板５３はそれぞれの設置板５１から耕土Ｄの上方に向かって突出される。
【００４４】
この場合、各畦畔基礎体５０の設置板５１は基礎凹部Ｂの底部ｂに設置するとともに、この各設置板５１の裏面の２条の係合突起５２を基礎凹部Ｂの底部ｂに形成された２条の位置決め溝Ｃに係合することにより、基礎凹部Ｂ内には各畦畔基礎体５０が安定性よく設置される。
【００４５】
つぎに、各畦畔基礎体５０からなる一連の基礎体を設置した基礎凹部Ｂ内にこの基礎凹部Ｂの側方の耕土Ｄ上に搬出された埋め戻し土壌Ｅを搬出して埋め戻し、この埋め戻し土壌Ｅにて各畦畔基礎体５０の設置板５１及び支持板５３をそれぞれ埋設し、この埋め戻し土壌Ｅを盛り上げて略山形状に形成する。
【００４６】
つぎに、各畦畔基礎体５０の支持板５３上に略山形状に盛り上げられた埋め戻し土壌Ｅを介して一連の基礎体の長さに沿って必要個数の畦畔体５６をそれぞれ押し込むように順次被嵌して設置することにより、この各畦畔体５６は両側の畦側板５８が各畦畔基礎体５０の設置板５１に向かってそれぞれ埋め戻し土壌Ｅに挿入された状態で設置され、この各畦畔体５６にて連続した一連の所定の高さの畦畔Ｆが形成される。
【００４７】
この場合、各畦畔体５６は、畦上板５７及び下方に向かって拡開傾斜した両側の畦側板５８とを有して断面略台形状に形成され、かつ、各畦畔基礎体５０の支持板５３及び埋め戻し土壌Ｅにて支持されることにより、各畦畔体５６は踏圧等によって簡単に傾くことなく安定性よく支持されるとともに各畦畔体５６は成形体であることと相俟って崩れ難い畦畔Ｆに形成される。
【００４８】
また、各畦畔基礎体５０の設置板５１は基礎凹部Ｂ内の所定の深さの底部ｂに設置されるとともに、この各設置板５１から支持板５３がそれぞれ耕土Ｄの上方に向かって突出されることにより、この各支持板５３にて埋め戻し土壌Ｅが遮断され、この各支持板５３の一方側から他方側に水漏れすることを防止される。また、埋め戻し土壌Ｅは各畦畔体５６にて被覆されることにより、畦畔Ｆの上面部及び両側面部に雑草等が繁茂することを防止される。
【００４９】
つぎに、前記実施の形態では、畦畔基礎体５０の設置板５１の２条の係合突起５２にて基礎凹部Ｂの両側部に２条の位置決め溝Ｃをそれぞれ形成する場合について説明したが、これに限らず、基礎凹部Ｂには１条の位置決め溝Ｃを形成するようにしてもよい。この場合には、設置板５１の下面に１条の係合突起５２を突設する。
【００５０】
また、前記位置決め溝Ｃは、基礎凹部Ｂに沿って連続して形成してもよく、また、所定の間隔をおいて断続的に形成するようにしてもよい。また、設置板５１の係合突起５２はこの設置板５１の下面に沿って長さ方向に連続した突条にて形成してもよく、所定の間隔をおいて断続的に突設するようにしてもよい。
【００５１】
さらに、前記実施の形態では、溝付体６として用いた溝付輪４６は自転させる場合について説明したが、この溝付輪４６は駆動手段によって回転駆動するようにしてもよい。また、溝付体６としては溝付輪４６に限らず、小型の片培土体であってもよく、駆動手段によって駆動されるトレンチャであってもよい。
【００５２】
【発明の効果】
請求項１の発明によれば、基礎凹部を形成する工程と、この基礎凹部の底部に位置決め溝を形成する工程と、この位置決め溝を有する基礎凹部に畦畔基礎体を設置する工程と、この畦畔基礎体を埋設する工程と、この畦畔基礎体上に埋め戻し土壌を介して畦畔体を被嵌して設置する工程とを有する一連の工程により、畦畔造成部に畦畔基礎体及び畦畔体を安定的に設置できるとともに、この畦畔造成資材にて水漏れを確実に防止できかつ雑草の成育を防止できる畦畔を容易に造成することができる。また、この畦畔は畦畔造成資材を用いて造成することにより、簡単に崩れるようなことがなく、泥土を盛り固めた畦畔のように畦塗り作業や草刈り作業を行う労力を必要とせず、十分に水田の水の保全管理を可能にした耐久性を有する畦畔を得ることができる。
【００５３】
請求項２の発明によれば、請求項１の発明の畦畔造成工法において畦畔造成資材を設置する上で、畦畔造成資材の畦畔基礎体を設置する基礎凹部を簡単に形成することができるとともに、この基礎凹部に畦畔基礎体を位置決めする位置決め溝を確実に形成することができ、したがって、機械的手段によって畦畔基盤を容易に整備することができ、農業従事者の労力を大幅に軽減することができ、請求項１の発明の畦畔造成工法を実施する上で好ましい畦畔基盤造成装置を提供することができる。
【００５４】
請求項３の発明によれば、後方送りコンベヤ及び横送りコンベヤによって耕起された土壌を基礎凹部の側方に向かって確実に搬出でき、この土壌を基礎凹部の埋め戻しに備えることができる。
【００５５】
請求項４の発明によれば、溝付輪の回転走行により基礎凹部に位置決め溝を確実に形成することができる。
【図面の簡単な説明】
【図１】本発明の一実施の形態の畦畔造成工程を示すもので、（ａ）は基礎凹部に畦畔基礎体を設置した状態、（ｂ）は畦畔基礎体を埋設した状態、（ｃ）は畦畔体を設置して畦畔を造成した状態の説明図である。
【図２】本発明の一実施の形態を示す畦畔基盤造成装置の側面図である。
【図３】同上背面図である。
【図４】同上畦畔基礎体の斜視図である。
【図５】同上畦畔基礎体を連設した状態の側面図である。
【符号の説明】
３    ロータリー作業体
４    土壌掬上体
５    コンベヤ
６    溝付体
２３    後方送りコンベヤ
２４    横送りコンベヤ
４６    溝付輪
５０    畦畔基礎体
５１    設置板
５２    係合突起
５３    支持板
５６    畦畔体
Ａ    畦畔造成部
Ｂ    基礎凹部
ｂ    基礎凹部の底部
Ｃ    位置決め溝
Ｄ    耕土
Ｅ    埋め戻し土壌
Ｆ    畦畔
【図１】
0003602660.tif 000002
【図２】
0003602660.tif 000003
【図３】
0003602660.tif 000004
【図４】
0003602660.tif 000005
【図５】
0003602660.tif 000006